(57)【要約】【課題】診療費の支払に係る利便性を向上させることが可能な病院会計システムを提供する。【解決手段】患者が所持する記憶媒体から当該患者を識別する識別情報を読み取る読取手段を有する読取装置と、各患者の識別情報と当該患者の診療内容とを関連付けて記憶したリポジトリから、前記読取装置で読み取られた識別情報に対応する診療内容を読み出し、当該診療内容から支払金額を算出する算出手段と、前記算出手段が算出した支払金額の支払処理を行う支払手段と、を有するサーバ装置と、を備える。【選択図】図１
2012113647.tif 000002
【特許請求の範囲】
【請求項１】
患者が所持する記憶媒体から当該患者を識別する識別情報を読み取る読取手段を有する読取装置と、
各患者の識別情報と当該患者の診療内容とを関連付けて記憶したリポジトリから、前記読取装置で読み取られた識別情報に対応する診療内容を読み出し、当該診療内容から支払金額を算出する算出手段と、前記算出手段が算出した支払金額の支払処理を行う支払手段と、を有するサーバ装置と、
を備えたことを特徴とする病院会計システム。
【請求項２】
前記リポジトリは、前記患者が診療を受けた診療日毎の診療内容と、前記支払処理が完了したか否かを示す支払フラグとを関連付けて記憶し、
前記算出手段は、前記支払フラグが未支払を示す診療内容から前記支払金額を算出し、
前記支払手段は、前記支払処理が完了した診療内容の支払フラグを完了済みに設定することを特徴とする請求項１に記載の病院会計システム。
【請求項３】
前記読取手段は、前記記憶媒体から前記支払料金額の電子決済に必要な電子決済情報を読み出し、
前記支払手段は、前記読出手段が読み出した電子決済情報を用いて前記支払金額の支払処理を行うことを特徴とする請求項１又は２に記載の病院会計システム。
【請求項４】
前記読取装置は、情報を表示する表示手段を更に備え、
前記支払手段は、前記支払処理が完了したことを報知する情報を前記読取装置の表示手段に表示させることを特徴とする請求項１〜３の何れか一項に記載の病院会計システム。
【請求項５】
前記読取装置は、ゲート状の構造で病院の出口付近に設置され、
前記読取手段は、前記ゲートを通過する患者の記憶媒体から識別情報を読み取ることを特徴とする請求項１〜４の何れか一項に記載の病院会計システム。
【請求項６】
前記支払手段は、支払処理が完了した支払金額を、対応する識別情報と関連付けて支払履歴リポジトリに記憶し、
前記サーバ装置は、外部装置から支払履歴の参照要求を特定の識別情報とともに受け付けると、当該識別情報に関連付けて記憶された支払金額を前記支払履歴リポジトリから読み出し、支払履歴として前記外部装置に提供する情報提供手段を更に備えたことを特徴とする請求項１〜５の何れか一項に記載の病院会計システム。
【発明の詳細な説明】
【技術分野】
【０００１】
本発明の実施形態は、病院会計システムに関する。
【背景技術】
【０００２】
近年、病院においてもＩＴ化が進んでおり、病院内の端末装置から電子カルテを参照可能にオンラインで接続されている。また、患者の診療費に係る支払処理もコンピュータを用いて行われており、例えば、保険の名称や診療科の変更に伴う患者診療情報の修正作業を自動で行うことが可能な病院会計システムが提案されている。
【発明の概要】
【発明が解決しようとする課題】
【０００３】
しかしながら、従来の病院会計システムでは、患者側は依然として支払窓口にて診療費を支払う必要があり、また、混雑状況によっては待ち時間が発生する可能性があるため、利便性向上のため改善の余地があった。
【課題を解決するための手段】
【０００４】
実施形態の病院会計システムは、読取手段を有する読取装置と、算出手段及び支払手段を有するサーバ装置とを備えている。読取手段は、患者が所持する記憶媒体から当該患者を識別する識別情報を読み取る。算出手段は、各患者の識別情報と当該患者の診療内容とを関連付けて記憶したリポジトリから、読取装置で読み取られた識別情報に対応する診療内容を読み出し、当該診療内容から支払金額を算出する。支払手段は、算出手段が算出した支払金額の支払処理を行う。
【図面の簡単な説明】
【０００５】
【図１】図１は、本実施形態に係る会計システムの全体構成を概略的に示す図である。
【図２】図２は、読取装置の構成の一例を示す図である。
【図３】図３は、病院内サーバの構成の一例を示す図である。
【図４】図４は、電子カルテリポジトリのデータ構成の一例を模式的に示す図である。
【図５】図５は、支払履歴リポジトリのデータ構成の一例を模式的に示す図である。
【図６】図６は、読取装置と病院内サーバとの間で行われる診療費支払処理の手順を示すフローチャートである。
【図７】図７は、読取装置の表示部に表示される表示画面の一例を示す図である。
【図８】図８は、病院内サーバとユーザ端末との間で行われる支払履歴提供処理の手順を示すフローチャートである。
【発明を実施するための形態】
【０００６】
以下、添付図面を参照して、会計システムの実施形態を詳細に説明する。なお、以下に説明する実施形態によりこの発明が限定されるものではない。
【０００７】
図１は、本実施形態に係る会計システム１００の全体構成を概略的に示す図である。同図に示すように、会計システム１００は、読取装置１０と、病院内サーバ２０と、電子決済サーバ３０と、ユーザ端末４０とを有している。読取装置１０及び病院内サーバ２０は、同一の病院Ｈ内に配置されており、両装置の間は有線又は無線のＬＡＮ（Local  Area  Network）５１を介して接続されている。また、病院内サーバ２０は、インターネットや専用線等のＷＡＮ５２を介して、電子決済を代行する電子決済サーバ３０や、病院Ｈの患者が自宅等で操作するユーザ端末４０と接続される。
【０００８】
読取装置１０は、ゲート状の構造で病院Ｈの出口付近に設置されている。読取装置１０は、後述する読取部１４によりゲートを通過する患者が所持した記憶媒体Ｍから、当該患者を識別可能な識別情報としての患者ＩＤと、電子決済に必要なクレジットカード番号等の電子決済情報とを読み取り、病院内サーバ２０に送信する。ここで、記憶媒体Ｍは、例えば、ＩＣカードの形態で各患者に配布された病院Ｈの診察券等である。
【０００９】
病院内サーバ２０は、読取装置１０から送信される各患者の識別情報に基づいて、当該患者の診療費を算出しその支払いを行うサーバ装置である。以下、図２〜図５を参照して、読取装置１０及び病院内サーバ２０の構成について説明する。
【００１０】
図２は、読取装置１０の構成の一例を示す図である。同図に示すように、読取装置１０は、情報処理を実行するマイクロコンピュータとして、ＣＰＵ（Central  Processing  Unit）１１、ＲＯＭ（Read  Only  Memory）１２及びＲＡＭ（Random  Access  Memory）１３を備えている。
【００１１】
ＣＰＵ１１は、ＲＯＭ１２や後述する記憶部１６に記憶された各種プログラムを実行することにより、読取装置１０を統括的に制御する。ＲＯＭ１２は、基本動作を行うためのプログラムを記憶している。ＲＡＭ１３は、読取装置１０の主記憶装置であって、ＣＰＵ１１のワークエリアとして機能する。
【００１２】
また、ＣＰＵ１１には、各種の入出力回路（図示せず）を介して、読取部１４及び表示部１５が接続されている。読取部１４は、読取装置１０を通過する患者の記憶媒体Ｍから情報の読み取りを行う読取装置である。ここで、読取部１４は、記憶媒体Ｍの仕様に準拠するものとし、例えば、記憶媒体Ｍが非接触式のＲＦＩＤタグを有する場合には、読取部１４としてＲＦＩＤリーダを用いるものとする。
【００１３】
表示部１５は、ＬＣＤ（Liquid  Crystal  Display）等の表示デバイスを有し、ＣＰＵ１１の指示に従い各種の情報を表示する。
【００１４】
また、ＣＰＵ１１には、各種の入出力回路（図示せず）を介して、記憶部１６及び通信Ｉ／Ｆ１７が接続されている。記憶部１６は、ＨＤＤ（Hard  Disk  Drive）やフラッシュメモリ等の記憶媒体であり、各種のプログラムや設定ファイルを記憶している。通信Ｉ／Ｆ１７は、病院内サーバ２０とデータ通信を行うためのインタフェースである。ＣＰＵ１１は、この通信Ｉ／Ｆ１７を介し、病院内サーバ２０との間で種々のデータを送受信する。
【００１５】
図３は、病院内サーバ２０の構成の一例を示す図である。同図に示すように、病院内サーバ２０は、情報処理を実行するマイクロコンピュータとして、ＣＰＵ２１、ＲＯＭ２２及びＲＡＭ２３を備えている。
【００１６】
ＣＰＵ２１は、ＲＯＭ２２や後述する記憶部２６に記憶された各種プログラムを実行することにより、病院内サーバ２０を統括的に制御する。ＲＯＭ２２は、基本動作を行うためのプログラムを記憶している。ＲＡＭ２３は、病院内サーバ２０の主記憶装置であって、ＣＰＵ２１のワークエリアとして機能する。
【００１７】
また、ＣＰＵ２１には、各種の入出力回路（図示せず）を介して、入力部２４及び表示部２５が接続されている。入力部２４は、キーボードやポインティングデバイス等であって、病院内サーバ２０の操作者から入力された操作内容をＣＰＵ２１に通知する。表示部２５は、ＬＣＤ等の表示デバイスを有し、ＣＰＵ２１の指示に従い各種の情報を表示する。
【００１８】
また、ＣＰＵ２１には、各種の入出力回路（図示せず）を介して、記憶部２６、第１通信Ｉ／Ｆ２７及び第２通信Ｉ／Ｆ２８が接続されている。
【００１９】
記憶部２６は、ＨＤＤやフラッシュメモリ等の記憶媒体であって、後述する各機能部を実現するための各種プログラムや各種ファイルを記憶している。記憶部２６に記憶されるファイルとしては、例えば、各患者の診療内容を記録した電子カルテやレセプト（以下、総称して電子カルテという）を管理する電子カルテリポジトリ２６１や、各患者が支払を行った診療費の履歴を管理する支払履歴リポジトリ２６２等が挙げられる。なお、本実施形態において、診療費とは患者が病院Ｈに支払を行う実際の金額（診察料に、個々の病気の状態や症状に応じて行われた検査、投薬、処置等の費用を足したもの）を意味するものとする。
【００２０】
ここで、図４は、電子カルテリポジトリ２６１のデータ構成の一例を模式的に示す図である。同図に示すように、電子カルテリポジトリ２６１は、各患者を識別する患者ＩＤと、上述した電子カルテとを関連付けて格納する。ここで、電子カルテリポジトリ２６１に格納される患者ＩＤは、各患者が所持する記憶媒体Ｍに保持された患者ＩＤと対応している。また、各患者に対する医師の診療内容は、その診療が行われた日付（診療日）と、診療費の支払いが完了したか否かを示す支払フラグと関連付けられ、診療日当日の電子カルテとして電子カルテリポジトリ２６１に格納される。
【００２１】
また、図５は、支払履歴リポジトリ２６２のデータ構成の一例を模式的に示す図である。同図に示すように、支払履歴リポジトリ２６２は、各患者の患者ＩＤと、診療日と、その診療日での支払金額となった診療費とを関連付けて格納する。なお、診療費は後述する支払金額算出部２１２により支払金額として算出される。
【００２２】
図３に戻り、第１通信Ｉ／Ｆ２７は、読取装置１０とデータ通信を行うためのインタフェースである。また、第２通信Ｉ／Ｆ２８は、電子決済サーバ３０やユーザ端末４０等の病院Ｈ外の外部装置とデータ通信を行うためのインタフェースである。ＣＰＵ２１は、第１通信Ｉ／Ｆ２７を介して読取装置１０との間で種々のデータを送受信する。また、ＣＰＵ２１は、第２通信Ｉ／Ｆ２８を介して電子決済サーバ３０やユーザ端末４０との間で種々のデータを送受信する。なお、図示しないが、病院内サーバ２０は、ＲＴＣ（Real  Time  Clock）等の計時装置を具備し、ＣＰＵ２１は、この計時装置が計時する時刻情報に基づいて、現在日時（年月日及び時刻）を取得できるものとする。
【００２３】
電子決済サーバ３０は、病院内サーバ２０から送信される電子決済情報と支払金額とに基づいて、当該電子決済情報を管理する決済機関（例えば、クレジット会社等）に、支払金額の支払い（電子決済）を代行するサーバ装置である。また、ユーザ端末４０は、ＰＣ（Personal  Computer）や携帯電話機等、病院Ｈの患者が使用する通信端末装置である。なお、電子決済サーバ３０及びユーザ端末４０は、病院内サーバ２０と同様のコンピュータ構成（図３参照）を有するものとする。
【００２４】
次に、図２及び図３を参照して、読取装置１０及び病院内サーバ２０が有する特徴的な機能について説明する。
【００２５】
図２に示すように、読取装置１０のＣＰＵ１１は、ＲＯＭ１２や記憶部１６に記憶されたプログラムとの協働により、読取制御部１１１、通信制御部１１２及び表示制御部１１３を実現させる。
【００２６】
読取制御部１１１は、読取部１４を制御し、読取装置１０のゲートを通過する患者の記憶媒体Ｍに保持された情報を読み取る。なお、本実施形態では、読取制御部１１１は、患者の記憶媒体Ｍから患者ＩＤ及び電子決済情報を読み取るものとするが、これに限らず、患者ＩＤのみ読み取る形態や他の情報を読み取る形態としてもよい。
【００２７】
通信制御部１１２は、通信Ｉ／Ｆ１７を制御し、病院内サーバ２０との間でデータ通信を行う。具体的に、通信制御部１１２は、読取制御部１１１が読み取った情報を、通信Ｉ／Ｆ１７を用いて病院内サーバ２０に送信する。また、通信制御部１１２は、病院内サーバ２０から送信される応答情報を、通信Ｉ／Ｆ１７を用いて受信する。
【００２８】
表示制御部１１３は、読取制御部１１１や通信制御部１１２の状態や、通信制御部１１２が受信した応答情報の内容を表示部１５に表示する。
【００２９】
一方、病院内サーバ２０のＣＰＵ２１は、ＲＯＭ２２や記憶部２６に記憶されたプログラムとの協働により、図３に示すように、通信制御部２１１、支払金額算出部２１２、支払処理部２１３及び情報提供部２１４を実現させる。
【００３０】
通信制御部２１１は、第１通信Ｉ／Ｆ２７を制御し、読取装置１０との間でデータ通信を行う。また、通信制御部２１１は、第２通信Ｉ／Ｆ２８を制御し、外部装置との間でデータ通信を行う。具体的に、通信制御部２１１は、読取装置１０から送信される情報を、第１通信Ｉ／Ｆ２７を用いて受信する。また、通信制御部２１１は、支払金額算出部２１２又は支払処理部２１３が生成した応答情報を、第１通信Ｉ／Ｆ２７を用いて読取装置１０に送信する。
【００３１】
支払金額算出部２１２は、電子カルテリポジトリ２６１から、読取装置１０で読み取られた患者ＩＤに対応する電子カルテを読み出し、当該電子カルテに記録された診療内容から支払金額を算出する。
【００３２】
具体的に、支払金額算出部２１２は、通信制御部２１１が受信した患者ＩＤに関連付けられた電子カルテのうち、診療日が今日の日付で且つ支払フラグが未支払を示す電子カルテを電子カルテリポジトリ２６１から読み出す。また、支払金額算出部２１２は、読み出した電子カルテに含まれたレセプト等の診療内容に基づいて、今日の支払金額となる診療費を算出する。なお、支払フラグの状態が支払済みと判定した場合、診療費は既に支払い済みであるため支払金額の算出は行わず、支払い済みである旨の応答情報を生成し、読取装置１０に送信するものとする。
【００３３】
支払処理部２１３は、通信制御部２１１が読取装置１０から受信した電子決済情報を用いて、支払金額算出部２１２が算出した支払金額の支払処理を実行する。具体的に、支払処理部２１３は、支払金額算出部２１２が算出した支払金額の電子決済を指示する情報と、電子決済情報とを電子決済サーバ３０に送信することで、当該電子決済サーバ３０に支払金額の電子決済を依頼する。
【００３４】
支払処理部２１３は、電子決済サーバ３０から支払完了を指示する情報を受信すると、この支払に係る患者ＩＤ及び診療日の診療内容に関連付けられた支払フラグを支払済みに設定する。また、支払処理部２１３は、電子決済サーバ３０から支払完了を指示する情報を受信すると、診療費の支払いが完了した旨の応答情報を生成し、読取装置１０に送信する。なお、支払いが完了した旨の応答情報として、支払金額等を通知する形態としてもよい。
【００３５】
また、支払処理部２１３は、電子決済サーバ３０から支払完了を指示する情報を受信すると、この支払に係る患者ＩＤ及び診療日を、支払金額となった診療費と関連付けて支払履歴リポジトリ２６２に登録する。
【００３６】
情報提供部２１４は、通信制御部２１１がユーザ端末４０から特定の患者ＩＤを含んだ支払履歴の参照を要求する要求情報を受信すると、この患者ＩＤに関連付けて記憶された各診療日の診療費を支払履歴リポジトリ２６２から読み出し、支払履歴として送信元のユーザ端末４０に送信（提供）する。なお、支払履歴を提供した後、ユーザ端末４０から特定の診療日が指示された場合には、この患者ＩＤ及び診療日に対応する電子カルテ（診療内容）を電子カルテリポジトリ２６１から読み出し、ユーザ端末４０に提供する形態としてもよい。
【００３７】
以下、図６〜図８を参照し、会計システム１００の動作について説明する。まず、図６及び図７を参照して、読取装置１０と病院内サーバ２０との間で行われる診療費支払処理について説明する。ここで、図６は、読取装置１０と病院内サーバ２０との間で行われる診療費支払処理の手順を示すフローチャートである。
【００３８】
診療を終えた病院Ｈの患者が読取装置１０のゲートを通過しようとすると、読取装置１０の読取制御部１１１は、この患者が所持する記憶媒体Ｍから患者ＩＤと電子決済情報とを読み取る（ステップＳ１１）。続いて、通信制御部１１２は、読取制御部１１１が読み取った患者ＩＤ及び電子決済情報を、病院内サーバ２０に送信する（ステップＳ１２）。
【００３９】
一方、病院内サーバ２０では、通信制御部２１１が読取装置１０から患者ＩＤ及び電子決済情報を受信すると（ステップＳ２１）、支払金額算出部２１２は、この患者ＩＤに関連付けられた各診療日の電子カルテのうち、今日の日付に関連付けられた電子カルテを電子カルテリポジトリ２６１から特定する（ステップＳ２２）。次いで、支払金額算出部２１２は、ステップＳ２２で特定した電子カルテの支払フラグの状態が、支払い済みか否かを判定する（ステップＳ２３）。ここで、支払フラグの状態が支払い済と判定した場合（ステップＳ２３；Ｙｅｓ）、支払金額算出部２１２は、支払い済みである旨の応答情報を生成し、読取装置１０に送信する（ステップＳ２４）。
【００４０】
また、ステップＳ２３において、支払フラグの状態が未支払いと判定した場合（ステップＳ２３；Ｎｏ）、支払金額算出部２１２は、ステップＳ２２で特定した電子カルテに含まれる診療内容に基づいて支払金額を算出する（ステップＳ２５）。続いて、支払処理部２１３は、ステップＳ２５で算出された支払金額の支払いを指示する情報と、ステップＳ２１で通信制御部２１１が受信した電子決済情報とを電子決済サーバ３０に送信することで、当該電子決済サーバ３０に支払代金の電子決済を依頼する（ステップＳ２６）。
【００４１】
次いで、支払処理部２１３は、電子決済サーバ３０から支払完了を指示する情報を受信すると、この支払に係る患者ＩＤ及び診療日の診療内容に関連付けられた、電子カルテリポジトリ２６１の支払フラグを支払済みに設定する（ステップＳ２７）。次いで、支払処理部２１３は、診療費の支払いが完了した旨の応答情報を生成し、読取装置１０に送信する（ステップＳ２８）。さらに、支払処理部２１３は、この支払に係る患者ＩＤ及び診療日を、支払金額となった診療費と関連付けて支払履歴リポジトリ２６２に登録する（ステップＳ２９）。
【００４２】
読取装置１０では、通信制御部１１２が病院内サーバ２０から応答情報を受信すると（ステップＳ１３）、表示制御部１１３は、この応答情報に応じた画面を表示部１５に表示し（ステップＳ１４）、本処理を終了する。
【００４３】
ここで、図７は、病院内サーバ２０から診療費の支払いが完了した旨の応答情報を受信した場合に表示部１５に表示される表示画面の一例を示す図である。同図では、応答情報として診療費の支払金額（２１００円）が通知された例を示している。なお、表示部１５に表示される画面は図７の例に限らず、他の形態で診療費の支払いが行われた旨を報知してもよい。また、病院内サーバ２０から支払い済みである旨の応答情報を受信した場合には、既に支払い済みである旨を表示部１５に表示する形態としてもよいし、表示を行わない形態としてもよい。
【００４４】
このように、診療費支払処理では、各患者の患者ＩＤと電子決済情報とを用いて診療費の支払を自動で行う。これにより、診療を終えた患者は読取装置１０のゲートを通過するのみで診療費の支払を自動で行うことができるため、診療費の支払に係る利便性を向上させることができる。
【００４５】
次に、図８を参照して、ユーザ端末４０から病院内サーバ２０に支払履歴の参照要求が送信された際の動作について説明する。ここで、図８は、病院内サーバ２０とユーザ端末４０との間で行われる支払履歴提供処理の手順を示すフローチャートである。なお、ユーザ端末４０の操作者は病院Ｈの患者であるものとする。
【００４６】
まず、ユーザ端末４０のＣＰＵ（図示せず）は、患者ＩＤの入力を受け付けた後、キーボード等を介して支払履歴の参照を要求する指示操作を受け付けると（ステップＳ３１）、この患者ＩＤを含む要求情報を病院内サーバ２０に送信する（ステップＳ３２）。なお、患者ＩＤの入力方法は特に問わず、キーボード等の入力デバイスを介して入力される形態としてもよいし、記憶媒体ＭからＲＦＩＤリーダ装置等を用いて読み取られたものが入力される形態としてもよい。
【００４７】
一方、病院内サーバ２０では、通信制御部２１１が要求情報をユーザ端末４０から受信すると（ステップＳ４１）、情報提供部２１４は、要求情報に含まれた患者ＩＤに基づき、この患者ＩＤに関連付けられた各診療日とその診療費とを支払履歴リポジトリ２６１から読み出す（ステップＳ４２）。続いて、情報提供部２１４は、ステップＳ４２で読み出した情報に基づいて、各診療日の診療費をリスト化した支払履歴リストを生成し、ユーザ端末４０に送信（提供）する（ステップＳ４３）。
【００４８】
ユーザ端末４０のＣＰＵ（図示せず）は、病院内サーバ２０から支払履歴リストを受信すると（ステップＳ３３）、この支払履歴リストを表示装置に表示させる（ステップＳ３４）。次いで、表示装置に表示された支払履歴リストに基づき、キーボード等を介して特定の日付が選択されると（ステップＳ３５）、ユーザ端末４０のＣＰＵ（図示せず）は、この選択された日付を指示する日付情報を病院内サーバ２０に送信する（ステップＳ３６）。
【００４９】
病院内サーバ２０では、通信制御部２１１が日付情報をユーザ端末４０から受信すると（ステップＳ４４）、情報提供部２１４は、要求情報に含まれた患者ＩＤの電子カルテのうち、日付情報で指示された日付の電子カルテを電子カルテリポジトリ２６１から読み出し（ステップＳ４５）、ユーザ端末４０に送信（提供）する（ステップＳ４６）。
【００５０】
ユーザ端末４０のＣＰＵ（図示せず）は、電子決済サーバ３０から提供された電子カルテを受信すると（ステップＳ３７）、この電子カルテを表示装置に表示することで、選択された日付（診療日）での診療内容を操作者に提示し（ステップＳ３８）、本処理を終了する。
【００５１】
このように、診療費の支払履歴及び診療内容を各患者が参照可能に提供することで、患者は支払金額の確認や診療内容の確認を容易に行うことができるため、診療費の支払に係る利便性を向上させることができる。
【００５２】
以上、本発明の実施の形態について説明したが、本発明はこれに限定されるものではなく、本発明の主旨を逸脱しない範囲での種々の変更、置換、追加等が可能である。
【００５３】
例えば、上記実施形態では、電子決済情報を記憶媒体Ｍから読み取る形態としたが、これに限らないものとする。例えば、各患者ＩＤと電子決済情報との組を関連付けて電子カルテリポジトリ２６１又は別途用意したレポジトリに記憶しておき、この電子決済情報を用いて支払処理を行う形態としてもよい。
【００５４】
また、上記実施形態では、電子カルテリポジトリ２６１に登録された電子カルテのうち、診療日が今日の日付で且つ支払フラグが未支払を示す電子カルテを支払金額の算出対象としたが、これに限らず、他の日付の電子カルテの支払フラグに未支払を示すものが存在する場合には、この電子カルテを支払金額の算出対象に含める形態としてもよい。
【００５５】
また、上記実施形態では、読取装置１０をゲート状の構造としたが、これに限らず、タッチパネル等を具備したセルフ端末等の形態としてもよい。
【００５６】
また、上記実施形態では、電子カルテリポジトリ２６１及び支払履歴リポジトリ２６２を病院内サーバ２０が備える形態としたが、これに限らず、病院内サーバ２０がアクセス可能な外部装置（例えば、データベースサーバ）に、電子カルテリポジトリ２６１及び支払履歴リポジトリ２６２が保持されている形態としてもよい。また、上記実施形態では、病院Ｈ内に設けた病院内サーバ２０を用いる形態としたが、これに限らず、病院内サーバ２０の構成及び機能を備えた病院Ｈ外のサーバ装置を用いる形態としてもよい。
【００５７】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００５８】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００５９】
１００  会計システム
１０  読取装置
１１  ＣＰＵ
１１１  読取制御部
１１２  通信制御部
１１３  表示制御部
１２  ＲＯＭ
１３  ＲＡＭ
１４  読取部
１５  表示部
１６  記憶部
１７  通信Ｉ／Ｆ
２０  病院内サーバ
２１  ＣＰＵ
２１１  通信制御部
２１２  支払金額算出部
２１３  支払処理部
２１４  情報提供部
２２  ＲＯＭ
２３  ＲＡＭ
２４  入力部
２５  表示部
２６  記憶部
２６１  電子カルテリポジトリ
２６２  支払履歴リポジトリ
２７  第１通信Ｉ／Ｆ
２８  第２通信Ｉ／Ｆ
３０  電子決済サーバ
４０  ユーザ端末
【先行技術文献】
【特許文献】
【００６０】
【特許文献１】特開２００３−２９６４４２公報
【図１】
2012113647.tif 000003
【図２】
2012113647.tif 000004
【図３】
2012113647.tif 000005
【図４】
2012113647.tif 000006
【図５】
2012113647.tif 000007
【図６】
2012113647.tif 000008
【図７】
2012113647.tif 000009
【図８】
2012113647.tif 000010